(57)【要約】【課題】脱臭機能を持ち外部に臭気を放たない吸着除湿装置を得る。【解決手段】空気を通す多数の通路９を有し、可逆的な吸放湿機能と、常温活性触媒機能とを備えた除湿部と、この除湿部の通路９に通風させる送風機１１と、除湿部に通す空気を昇温させ得る加熱手段とを組込んだ風路１２を外殻１３内に構成し、風路１２の吸込口１４，１５と吹出口１６，１７をそれぞれ隣接する対形態にして開閉可能に構成し、一方の吸込口１４から風路１２を経て一方の吹出口１６に至る除湿経路と、他方の吸込口１５から風路１２を経て他方の吹出口１７に至る再生経路とを開閉ダンパ機構によって交互に通断させるようにするとともに、除湿経路は、区切られた特定の空間に連絡できるように構成し、再生経路は、空間とは別の他の空間に連絡できるように構成する。【選択図】　　　　　図２
2004097919.tif 000002
【特許請求の範囲】
【請求項１】
空気を通す多数の通路を有し、可逆的な吸放湿機能と、常温活性触媒機能とを備えた除湿部と、この除湿部の前記通路に通風させる送風機と、前記除湿部に通す空気を昇温させ得る加熱手段とを組込んだ風路を外殻内に構成し、この風路の吸込口と吹出口をそれぞれ隣接する対形態にして開閉可能に構成し、一方の前記吸込口から前記風路を経て一方の前記吹出口に至る除湿経路と、他方の前記吸込口から前記風路を経て他方の前記吹出口に至る再生経路とを開閉ダンパ機構によって交互に通断させるようにするとともに、前記除湿経路は、区切られた特定の空間に連絡できるように構成し、前記再生経路は、前記空間とは別の他の空間に連絡できるように構成した吸着除湿装置。
【請求項２】
請求項１に記載の吸着除湿装置であって、除湿部を可逆的な吸放湿機能を持つ除湿器と、常温活性触媒機能を持つ脱臭器とにより構成し、風路の上流側に同脱臭器を下流側に同除湿器を配置した吸着除湿装置。
【請求項３】
請求項１に記載の吸着除湿装置であって、除湿部を可逆的な吸放湿機能を持つ除湿器と、常温活性触媒機能を持つ脱臭器とにより構成し、送風機の吸込み側に同脱臭器を吹出し側に同除湿器を配置した吸着除湿装置。
【請求項４】
空気を通す多数の通路を有し、可逆的な吸放湿機能と、常温活性触媒機能とを備えた除湿部と、この除湿部の前記通路に通風させる送風機と、前記除湿部に通す空気を昇温させ得る加熱手段とを組込んだ風路を外殻内に構成し、この風路の吸込口と吹出口をそれぞれ隣接する対形態にして開閉可能に構成し、一方の前記吸込口から前記風路を経て一方の前記吹出口に至る除湿経路と、他方の前記吸込口から前記風路を経て他方の前記吹出口に至る再生経路とを開閉ダンパ機構によって交互に通断させるようにするとともに、前記除湿経路は、開閉でき物品を保管できる箱構造内に連絡させ、前記再生経路は、前記箱構造外に連絡させた保管庫。
【請求項５】
請求項４に記載の保管庫であって、箱構造の開閉をスライド式の扉構造とし、その箱構造の外面に再生経路の吸込口と吹出口を連絡させた保管庫。
【請求項６】
請求項４に記載の保管庫であって、箱構造をキッチンキャビネットとして構成し、同キッチンキャビネットの底板と設置床面との間に除湿部と送風機及び加熱手段等の機能部品を組込み、再生経路の吸込口と吹出口とを前記キッチンキャビネットの前部に臨ませた保管庫。
【発明の詳細な説明】
【０００１】
【発明の属する技術分野】
本発明は、食品等物品の乾燥保管に供する吸着除湿装置及び物品を乾燥保管するための保管庫に関するものである。
【０００２】
【従来の技術】
食品やその他の物品を乾燥保管するための保管庫は大きく分けて、塩化カルシウムやペレット状のシリカゲルの乾燥剤に庫内の湿気を吸湿させて庫内を乾燥雰囲気にするものと、特開平４―１１４７１４号公報に示されているように吸着材を備えた除湿部に庫内の空気を循環させて吸着材に吸湿させて庫内を乾燥雰囲気にするものとがある。塩化カルシウムを乾燥剤に使った保管庫では、塩化カルシウムが吸収した湿気は塩分を含んだ水となり、この水を処理する必要があるうえ、吸湿剤の補充も必要なため、扱い難く使いにくい。また、ペレット状のシリカゲルを乾燥剤として使った保管庫は、水も溜まらず、一度吸湿した乾燥剤に熱を加えて放湿させることによって再生させることができるが、乾燥雰囲気の保持が難しく、庫内を乾燥雰囲気にするのに時間がかかるものである。
【０００３】
特開平４―１１４７１４号公報に示されている保管庫は、可逆的な吸放湿機能を備えた吸湿材に庫内の空気を送風機により循環させて庫内を乾燥雰囲気にするため、短時間で庫内を乾燥雰囲気にすることができ、吸湿材に温風を通すことで吸湿した吸湿材を再生することができ、扱い易く使いやすい。
【０００４】
【発明が解決しようとする課題】
しかしながら、可逆的な吸放湿機能を備えた除湿部による保管庫においては、庫内が臭気を帯びたり、再生時に吸湿材に水分とともに吸着された臭気成分が水分とともに庫外（室内）へ排出され、庫外の雰囲気を阻害するといった問題点がある。
【０００５】
本発明は、係る従来の問題点を解決するためになされたものであって、その課題とするところは、脱臭機能を持ち外部に臭気を放たない吸着除湿装置を得ることであり、その吸着除湿装置を使った、台所等の設置場所の室内雰囲気を阻害することの少ない保管庫を開発することである。
【０００６】
【課題を解決するための手段】
前記課題を達成するために請求項１の発明は、空気を通す多数の通路を有し、可逆的な吸放湿機能と、常温活性触媒機能とを備えた除湿部と、除湿部の通路に通風させる送風機と、除湿部に通す空気を昇温させ得る加熱手段とを組込んだ風路を外殻内に構成し、風路の吸込口と吹出口をそれぞれ隣接する対形態にして開閉可能に構成し、一方の吸込口から風路を経て一方の吹出口に至る除湿経路と、他方の吸込口から風路を経て他方の吹出口に至る再生経路とを開閉ダンパ機構によって交互に通断させるようにするとともに、除湿経路は、区切られた特定の空間に連絡できるように構成し、再生経路は、その空間とは別の他の空間に連絡できるように構成する手段を採用する。
【０００７】
前記課題を達成するために請求項２の発明は、請求項１に係る前記手段における除湿部を、可逆的な吸放湿機能を持つ除湿器と、常温活性触媒機能を持つ脱臭器とにより構成し、風路の上流側に脱臭器を下流側に除湿器を配置する手段を採用する。
【０００８】
前記課題を達成するために請求項３の発明は、請求項１に係る前記手段における除湿部を、可逆的な吸放湿機能を持つ除湿器と、常温活性触媒機能を持つ脱臭器とにより構成し、送風機の吸込み側に脱臭器を吹出し側に除湿器を配置する手段を採用する。
【０００９】
前記課題を達成するために請求項４の発明は、空気を通す多数の通路を有し、可逆的な吸放湿機能と、常温活性触媒機能とを備えた除湿部と、この除湿部の通路に通風させる送風機と、除湿部に通す空気を昇温させ得る加熱手段とを組込んだ風路を外殻内に構成し、風路の吸込口と吹出口をそれぞれ隣接する対形態にして開閉可能に構成し、一方の吸込口から風路を経て一方の吹出口に至る除湿経路と、他方の吸込口から風路を経て他方の吹出口に至る再生経路とを開閉ダンパ機構によって交互に通断させるようにするとともに、除湿経路は、開閉でき物品を保管できる箱構造内に連絡させ、再生経路は、箱構造外に連絡させる手段を採用する。
【００１０】
前記課題を達成するために請求項５の発明は、請求項４に係る前記手段における箱構造の開閉をスライド式の扉構造とし、箱構造の外面に再生経路の吸込口と吹出口を連絡させる手段を採用する。
【００１１】
前記課題を達成するために請求項６の発明は、請求項４に係る前記手段における箱構造をキッチンキャビネットとして構成し、キッチンキャビネットの底板と設置床面との間に除湿部と送風機及び加熱手段等の機能部品を組込み、再生経路の吸込口と吹出口とをキッチンキャビネットの前部に臨ませる手段を採用する。
【００１２】
【発明の実施の形態】
実施の形態１．
図１〜図６によって示す本実施の形態は、食品等の物品を乾燥保管する保管庫に関するものである。この保管庫は、乾燥室１と乾燥室１内の空気を乾燥雰囲気に加工する吸着除湿装置２とから構成されている。乾燥室１は、前面の開放した外箱３に抜き差しできる引出し式の密閉箱構造として構成され、上部に回動やスライドにより開閉できる開閉蓋４が装着されている（図１，図３参照）。上部での開放は、引出し式の場合には乾燥室１への物品の出し入れがし易く使いやすい。乾燥室１の前面は、図１に示すように外方へ張出しの有る前パネル５で構成され、上部の張出し部分の左右に一つずつ開口部６が設けられている。外箱３には乾燥室１を差込んだ状態で、乾燥室１の開閉蓋４と差込み部分の天板との間に前後方向に続く二列の通風路７が天板の中央に設けられた隔壁８により画成される（図１、図３，図４参照）。この二列の通風路７はそれぞれ乾燥室１の前パネル５の二個の開口部６にそれぞれ連絡している。
【００１３】
吸着除湿装置２は、図１及び図２に示すように外箱３内における乾燥室１の背後に設けられ、除湿部と送風機１１と加熱手段を主体として構成されている。除湿部は、空気を通す直線状の多数の通路９を持ち、可逆的な吸放湿機能を備えた除湿器１０と、常温活性触媒による脱臭機能を持つ脱臭器１０ａとで構成されている。除湿部の除湿器１０の通路９に通風させる送風機１１と、除湿部に通す空気を昇温させる加熱手段とを六面体の外殻１３内に構成した風路１２に直列状に組込んで吸着除湿装置２が構成されている（図２参照）。
【００１４】
吸着除湿装置２の風路１２の吸込口１４，１５と吹出口１６，１７はそれぞれ隣接する外殻１３の二面に対形態に開口されている。外殻１３内には一方の吸込口１４から風路１２を経て一方の吹出口１６に至る除湿経路と、他方の吸込口１５から風路１２を経て他方の吹出口１７に至る再生経路と、バイパス１８が設けられている。バイパス１８は、再生経路における除湿器１０及び加熱手段を迂回する経路として構成され、その出口１９は、再生経路の吹出口１７近傍に吹出口１７と同じ向きに開口されている。
【００１５】
除湿経路と再生経路の各吸込口１４，１５と各吹出口１６，１７並びにバイパス１８の出口１９は一つの開閉ダンパ機構によって開閉される。開閉ダンパ機構は、ステッピングモーター２０の回転軸上に、吸込口開閉ブレード２１と吹出口開閉ブレード２２と出口開閉ブレード２３を一列に並べて取付けた構成で、再生経路を開通させたときには、バイパス１８を開通させ、除湿経路は遮断する。
【００１６】
除湿経路の吸込口１４と吹出口１６は共に乾燥室１に気密を保持した状態に連絡され、再生経路の吸込口１５と吹出口１７は、外箱３の二列の通風路７にそれぞれ連絡され、乾燥室１の前パネル５の各開口部６を通じてそれぞれ庫外に連絡している。
【００１７】
除湿器１０は、セラミックス等の無機質繊維にシリカゲル等の吸湿剤を重合反応を利用して、結合させたコルゲート構造材やハニカム構造材を積層して、被処理空気を通す直線状の多数の通路９が全体にわたって分布する直方体状に構成したものである。各通路９は平行状でそれらの開口端は全て除湿器１０の対向する二面に開口している。脱臭器１０ａは、除湿器１０の下流側に近接して配置され、通過する気流から常温活性触媒の機能で臭気成分を分解し脱臭する。
【００１８】
加熱手段は、図５に示すように等間隔に開けられた矩形の通風孔２４を有する放熱板２５に、電気絶縁性と耐熱性のあるプラスチック皮膜を施した熱効率の良いコードヒーター２６に通断電手段としての温度ヒューズ２７とサーモスタット２８を設けて密着させた構造が採られ、除湿器１０の前段の送風機１１の吹出し側において風路１２を横断する状態に組付けられている。除湿器１０と外殻１３との間には断熱空気層又は多泡性の断熱樹脂の断熱構造２９が設けられ、再生時に効率よく除湿器１０を加熱するようになっている。
【００１９】
コードヒーター２６及び送風機１１並びにステッピングモーター２０は、マイクロコンピュータを搭載した図６に示すような制御手段３０によりそれぞれの運転が制御される。制御手段３０には、乾燥室１内に配備された湿度センサー３１が入力側に接続され、出力側にはヒータ駆動回路３２と、モータ駆動回路３３、送風機駆動回路３４のほか設定手段３５や運転表示手段３６が接続されている。
【００２０】
この保管庫の乾燥室１は、開閉ダンパ機構によって除湿経路と再生経路を交互に開閉させ、除湿器１０に除湿過程と再生過程とを交互に繰り返えさせることにより乾燥雰囲気になる。乾燥室１内の除湿は、ステッピングモーター２０を回転させ、再生経路の吸込口１５及び吹出口１７並びにバイパス１８の出口１９を、吸込口開閉ブレード２１及び吹出口開閉ブレード２２並びに出口開閉ブレード２３によって閉止しておいて、送風機１１を運転させることにより常温下で行なわれる。即ち、開放された除湿経路により乾燥室１内に循環気流が形成され、除湿器１０を通過するたびに湿気が分子状態で除湿器１０に吸着され、乾燥室１内は迅速に乾燥雰囲気になる。この除湿経路の循環気流は、除湿器１０とともに脱臭器１０ａを通過するため、脱臭器１０ａの常温活性触媒の働きにより、アルデヒド類、硫黄系化合物、脂肪系化合物等の臭気成分が他の物質に分解され脱臭される。これにより、乾燥室１内は臭気を帯びない清浄な乾燥雰囲気となる。
【００２１】
乾燥室１内に保管する物品によっては、さまざまな臭気成分を発生するものもある。代表的な臭気成分としては、アセトアルデヒド、ホルムアルデヒドに代表されるアルデヒド類、メチルメルカブタン、硫化水素で代表される硫化系化合物、酢酸、プロピオン酸で代表される脂肪酸系酸化物、その他、香辛料であるテルペン系化合物である。こうした乾燥室１内に生じた臭気成分は、除湿運転により乾燥室１外へ排出される、この時、水に溶け易い臭気成分は、湿気とともに除湿器１０に吸収される。水に溶け難い臭気成分は、脱臭器１０ａの常温活性触媒機能により分解され脱臭される。
【００２２】
水の分子を吸着するにつれ除湿器１０の吸着能は低下するので、除湿器１０を再生過程において再生させる。除湿器１０の再生は、ステッピングモーター２０を回転させ、除湿経路の吸込口１４及び吹出口１６を、吸込口開閉ブレード２１及び吹出口開閉ブレード２２によって閉止し、バイパス１８の出口１９を開放させ、送風機１１を運転させ、コードヒーター２６に通電させることにより１４０℃ほどの高温下で行なわれる。即ち、開放された再生経路により庫外の空気が前パネル５の開口部６を経て吸込口１５から吸込まれ、放熱板２５を通過することにより加熱され除湿器１０の通路９を通ることで除湿器１０の水分子が放出される。吸込まれた庫外の空気の一部は、放熱板２５を通過せずにバイパス１８に流れ、出口１９から流れ出て再生経路に合流して吹出口１７から外箱３の通風路７を通って乾燥室１の前パネル５の開口部６から庫外へ排出される。除湿器１０を再生した空気は高温多湿であるが、バイパス１８を流れてくる常温の空気と混合するため、庫外へ排出される空気の温度は低くなっている。これにより、再生時に台所等の室内雰囲気の阻害が抑制される。
【００２３】
この再生運転のとき、再生経路のコードヒーター２６により加熱された空気により除湿器１０が暖められ、吸収した湿気が放湿され、空気にのって再生経路から吸着除湿装置２の外部（室内）へ放出される。湿気の放出においては、湿気とともに除湿器１０に吸収されていた水溶性の臭気成分も放出されるが、脱臭器１０ａを通過することにより、分解され脱臭されるので再生運転により室内へ臭気成分が放出されることはなく、室内の雰囲気を損なわずに済む。
【００２４】
こうして再生された除湿器１０に除湿経路を開けて乾燥室１内の空気を通すことにより、再び乾燥室１内の湿気を吸着し、乾燥室１内を乾燥雰囲気にすることができる。除湿器１０と外殻１３との間は断熱空気層又は多泡性の断熱樹脂による断熱構造２９となっているので周囲への放熱は少なく加熱効率は良い。
【００２５】
除湿過程と再生過程とを交互に繰り返えさせる乾燥運転においては、運転開始時には必ず再生経路の開放による除湿器１０の再生から始まるように制御される。こうすることにより停止状態で吸湿し、除湿能の低下している除湿器１０の状態から乾燥運転をスタートすることがなく、除湿機能が安定することになる。なお、乾燥運転の開始／停止は、乾燥室１内に設けられた湿度センサー３１の出力値に基づいて制御手段３０により行なわれる。
【００２６】
本実施の形態の保管庫によれば、乾燥室１内を迅速かつ効率的に乾燥雰囲気に維持することができ、乾燥室１内に収納した食品等を常温で乾燥保存することができる。そして、水が生じたり、吸湿剤の交換や補充といったメンテナンスも不要であり、扱い易く使いやすい。常温乾燥であるため低温乾燥などと異なり、例えば海苔等では庫外に出してからのぱりぱり状態が長持ちし、食味を失いにくい。機構的には除湿経路及び再生経路の吸込口１４，１５と吹出口１６，１７の位置関係から単一の開閉ダンパ機構により開閉の切換えができ、保管庫の小型化が実現でき、保管物品から出る臭気成分も分解して脱臭することができる。
【００２７】
加熱手段については、正特性サーミスタで構成することもできる。即ち、放熱板としてのフィンにヒーター固定部がロー付け等により一体化され、ヒーター固定部に絶縁紙を挟んで正特性サーミスタが固定されている。正特性サーミスタを使った加熱手段を採用することにより、素子の特性であるキュリー点以上に温度が上昇することを抑えることができ、コンパクトで安全性の高いものとなる。また、流れる空気流に対して熱をフィンによって伝え易く、放熱のためのフィンの表面積も広くとることができる。
【００２８】
実施の形態２．
図７に示す本実施の形態は、実施の形態１で示した保管庫における吸着除湿装置の脱臭器の下流側に除湿器を置く位置関係にしたもので、基本的な構成は、実施の形態１で示したものと同じである。従って、実施の形態１のものと同じ部分については、実施の形態１のものと同じ符号を用い、それらについての説明は省略する。
【００２９】
本実施の形態では、除湿運転における乾燥室１の空気の循環が、まず、脱臭器１０ａを通った後、除湿器１０を通るため、乾燥室１の臭気成分は、水溶性の臭気成分も常温活性触媒機能のある脱臭器１０ａで除湿の前に分解され脱臭される。従って、除湿器１０には、水溶性の臭気成分が吸着されず、再生運転によっても保管庫外（室内）へ臭気が放出されることがない。これ以外の機能は、実施の形態１のものと同じである。
【００３０】
実施の形態３．
図８に示す本実施の形態は、実施の形態２で示した保管庫における吸着除湿装置の脱臭器と除湿器を、送風機を中心にして吸込み側に脱臭器を吹出し側に除湿器を置く位置関係にしたもので、基本的な構成は、実施の形態２で示したものと同じである。従って、実施の形態２のものと同じ部分については、実施の形態２のものと同じ符号を用い、それらについての説明は省略する。
【００３１】
本実施の形態では、除湿運転における乾燥室１の空気の循環が、まず、脱臭器１０ａを通った後、除湿器１０を通るため、乾燥室１の臭気成分は、水溶性の臭気成分も常温活性触媒機能のある脱臭器１０ａで除湿の前に分解され脱臭される。従って、除湿器１０には、水溶性の臭気成分が吸着されず、再生運転によっても保管庫外（室内）へ臭気が放出されることがない。再生運転において、加熱の必要のない脱臭器１０ａは加熱手段より上流側にあるので加熱されず、余分なエネルギー消費を抑えることができ、また、加熱による常温活性触媒機能により分解された物質への悪影響も回避することができる。これ以外の機能は、実施の形態２のものと同じである。
【００３２】
実施の形態４．
図９によって示す本実施の形態は、実施の形態１〜実施の形態３で示した保管庫における吸着除湿装置の除湿部の再生経路についての配置に関するものであり、それ以外の構成は、上記各実施の形態のものと同じである。従って、各実施の形態のものと同じ部分については、各実施の形態のものと同じ符号を用い、それらについての説明は省略する。
【００３３】
本実施の形態の保管庫は、再生経路に続く通風路７が外箱３と乾燥室１の底面との間に設けられ、外箱３の前パネル５の前面下部に再生経路の吸込口１５と吹出口１７にそれぞれ連絡する開口部６が設けられている。この構成を採ることにより、乾燥室１の開閉蓋４をスライド式等の間口の広い使い易い構造にすることができ、乾燥室１の気密保持もし易くなる。これ以外の機能は上述した各実施の形態のものと同じである。
【００３４】
実施の形態５．
図１０と図１１によって示す本実施の形態は、実施の形態１〜実施の形態３で示した保管庫における吸着除湿装置２を、引出し式の開閉可能な箱構造として構成した乾燥室１に組付けたもので、基本的な構成は実施の形態１〜実施の形態４のものと同じである。従って、実施の形態１〜実施の形態４のものと同じ部分については、それらのものと同じ符号を用い、その説明は省略する。
【００３５】
本実施の形態の保管庫は、乾燥室１に吸着除湿装置２が組付けられ、乾燥室１と吸着除湿装置２とが外箱３に対して一まとまりで動く構造となっている。吸着除湿装置２は、図１０に示すように乾燥室１の前側下部に外付けにして組付けられている。この構成を採ると外箱３と乾燥室１の間に通風路７を設けることなく、直接吸着除湿装置２の再生経路の吸込口１５と吹出口１７をそのまま外箱３の外に開口させることができ、簡素な構成となる。乾燥室１の前側下部に吸着除湿装置２を外付けにする場合、再生経路の吸込口１５と吹出口１７は、そのまま外箱３の前面に臨ませるか、乾燥室１の前パネル５に開口部６を設けて外部に連絡させる。これにより、乾燥室１の容積を狭めることがないばかりでなく、吸着除湿装置２の再生経路が常に外部に連通しているため、乾燥室１への物品等の出し入れの際の引出し距離は少なくてすみ、効率的で使い易い乾燥庫となる。また、メンテナンスについても吸着除湿装置２を前部に呈出させることができるため実施し易い。
【００３６】
実施の形態６．
図１２によって示す本実施の形態は、実施の形態１〜実施の形態５で示した保管庫における乾燥室１をシステムキッチン等のキッチンキャビネット３７として構成し、キッチンキャビネット３７の底板３８と建物の床の間に吸着除湿装置２を設け、再生経路の吸込口１５と吹出口１７を前部にし、除湿経路の吸込口１４と吹出口１６をキッチンキャビネット３７内に開口させたものである。この構成を採ることによりキッチンキャビネット３７内を乾燥雰囲気にしておくことが出来、食品等の保管がし易く、カビ等の発生も防止することができる。また、排水口から漏れる臭気も除去できる。
【００３７】
【発明の効果】
請求項１の発明によれば、脱臭機能を持ち外部に臭気を放たない吸着除湿装置が得られる。
【００３８】
請求項２の発明によれば、請求項１に係る前記効果とともに除湿器に臭気成分が吸着することを防ぐことができる。
【００３９】
請求項３の発明によれば、不必要なエネルギー消費を抑えることができる。
【００４０】
請求項４の発明によれば、台所等の設置場所の室内雰囲気を阻害することが少なく、物品の出し入れがし易い保管庫が得られる。
【００４１】
請求項５の発明によれば、請求項４に係る前記効果とともに庫内の手入れ整理清掃が容易になり、使い易いものとなる。
【００４２】
請求項６の発明によれば、請求項４に係る前記効果とともにキッチンキャビネットを乾燥雰囲気にでき、食品の保管に好適な保管庫となり、カビの発生も防止できる。
【図面の簡単な説明】
【図１】実施の形態１の保管庫の要部を示す斜視図である。
【図２】実施の形態１の保管庫の吸着除湿装置を示す断面図である。
【図３】実施の形態１の保管庫の要部を示す縦断側面図である。
【図４】実施の形態１の保管庫の要部を示す正面図である。
【図５】実施の形態１の保管庫の加熱手段の一部を示す斜視図である。
【図６】実施の形態１の保管庫の制御手段の構成図である。
【図７】実施の形態２の保管庫における吸着除湿装置を示す縦断面図である。
【図８】実施の形態３の保管庫における吸着除湿装置を示す縦断面図である。
【図９】実施の形態４の保管庫の要部を示す斜視図である。
【図１０】実施の形態５の保管庫の要部を示す斜視図である。
【図１１】実施の形態５の乾燥庫を示す側面図である。
【図１２】実施の形態６の保管庫を示す斜視図である。
【符号の説明】
１　乾燥室、　２　吸着除湿装置、　４　開閉蓋、　９　通路、　１０　除湿器、　１０ａ　脱臭器、　１１　送風機、　１２　風路、　１３　外殻、　１４，１５　吸込口、　１６，１７　吹出口、　２０　ステッピングモーター、　２１　吸込口開閉ブレード、　２２　吹出口開閉ブレード、　２６　コードヒーター。
【図１】
2004097919.tif 000003
【図２】
2004097919.tif 000004
【図３】
2004097919.tif 000005
【図４】
2004097919.tif 000006
【図５】
2004097919.tif 000007
【図６】
2004097919.tif 000008
【図７】
2004097919.tif 000009
【図８】
2004097919.tif 000010
【図９】
2004097919.tif 000011
【図１０】
2004097919.tif 000012
【図１１】
2004097919.tif 000013
【図１２】
2004097919.tif 000014